(57)【要約】【課題】使用感に頼りなさを感じることがなく、演出効果を発揮させる装置としても使用することができ、さらに電気消費量が少なく経済的であり、しかも発熱量が少ないので、その場の温度を上昇させることなく、効果的に冷房等ができるミスト噴霧装置を提供する。【解決手段】ミストノズル１から噴霧されるミストに、ＬＥＤライト２を照射するように構成したものであって、分水器３の内部に設けた分岐水路３ａの各通水孔４に連結して放射状に配した多数本の水供給パイプ５に、それぞれ複数個の前記ミストノズル１を設け、これらミストノズル１を前方に向けた状態で前記水供給パイプ５を、本体６の前面に形成した開口に設置し、これら水供給パイプ５の放射状の中心部の分水器３に前記ＬＥＤライト２を前方に向けて設置している。【選択図】図１
2014142088.tif 000002
【特許請求の範囲】
【請求項１】
ミストノズル（１）から噴霧されるミストに、ＬＥＤライト（２）を照射するように構成したものであって、分水器（３）の内部に設けた分岐水路（３ａ）の各通水孔（４）に連結して放射状に配した多数本の水供給パイプ（５）に、それぞれ複数個の前記ミストノズル（１）を設け、これらミストノズル（１）を前方に向けた状態で前記水供給パイプ（５）を、本体（６）の前面に形成した開口に設置し、これら水供給パイプ（５）の放射状の中心部の分水器（３）に前記ＬＥＤライト（２）を前方に向けて設置していることを特徴とするミスト噴霧装置。
【請求項２】
前記水供給パイプ（５）のそれぞれの側部に複数のＬＥＤライト（２）を前方に向けて連設していることを特徴とする請求項１記載のミスト噴霧装置。
【請求項３】
前記水供給パイプ５の放射状の中心部の分水器（３）に設置したＬＥＤライト（２）を大容量のものとしていることを特徴とする請求項１記載のミスト噴霧装置。
【請求項４】
前記水供給パイプ（５）のそれぞれの側部に連設した複数のＬＥＤライト（２）を小容量のものとしていることを特徴とする請求項２記載のミスト噴霧装置。
【請求項５】
前記分水器（３）を金属製とし、この分水器（３）に前記ＬＥＤライト（２）を熱伝導可能として設置していることを特徴とする請求項１又は３記載のミスト噴霧装置。
【請求項６】
前記水供給パイプ（５）を金属製とし、この水供給パイプ（５）に前記ＬＥＤライト（２）を熱伝導可能として設置していることを特徴とする請求項２又は４記載のミスト噴霧装置。
【発明の詳細な説明】
【技術分野】
【０００１】
本発明は、温室、ビニールハウス、公民館、美術館、体育館などの閉鎖された空間、建築工事現場、屋外のイベント会場などの開放された空間において使用されるミスト噴霧装置に関するものである。
【背景技術】
【０００２】
従来、この種のミスト噴霧装置としては、例えば図６、７に示すようなものが存在する。このミスト噴霧装置は、扇風機２１、電源２２、水タンク２３、コンプレッサー２４、およびこのコンプレッサー２４から延出する送水ホース２５に継ぎ手２６を介して接続され、扇風機ファン２７の正面側に適宜の手段で固定されたノズル２８付きの金属製導管２９からなるものとしている（特許文献１）。
【０００３】
また、この種のミスト噴霧装置としては、例えば図８に示すようなものが存在する。このミスト噴霧装置は、送風扇３１を備えている送風扇枠３２の前面に、送風扇３１の羽根径に見合ったサイズで、複数個の噴出口３３を有するリング状の送液管３４を設置し、この送液管３４に設けられている液体供給口３５から所定の圧力をかけた水を供給すると共に、送風扇３１を回転させることにより、その風圧で、噴出口３３から噴霧されてミスト状となった水を温室などの大空間内に拡散させ、このミストの気化潜熱により、温室などの空間内を冷房するものとしている（特許文献２）。
【０００４】
さらに、この種のミスト噴霧装置としては、本発明者が以前に出願した例えば図９に示すようなものが存在する。このミスト噴霧装置は、一側面に開口４１ａを形成した略直方体形状の箱状本体４１の内部にシロッコファン４２を設置し、この箱状本体４１の開口４１ａの前方にミストノズル４３を設置し、前記箱状本体４１のいずれかの面に前記シロッコファン４２の大気取り入れ口４４を形成したものとしている。そして、前記箱状本体４１は、車台４５に伸縮自在として立設したパイプなどの支持体４６の上端部に回動自在および傾動自在として支持されている。また、前記ミストノズル４３は、箱状本体４１の開口４１ａの前方に横方向に複数個、並列させたものとしている（特許文献３）。
【先行技術文献】
【特許文献】
【０００５】
【特許文献１】意匠登録第１３００３３６号公報
【特許文献２】実用新案登録第３０６８５２５号公報
【特許文献３】特開２００９−２９９９９５号公報
【発明の概要】
【発明が解決しようとする課題】
【０００６】
上記従来のミスト噴霧装置は、扇風機ファン２７や送風扇３１、シロッコファン４２の風圧により、大空間内にミストを広い範囲にわたって拡散させることができるものとなっている。
【０００７】
さらに、上記本発明者が出願した従来のミスト噴霧装置は、大空間内の特定方向にミストを集中して拡散させたり、大空間内の遠くまでミストを拡散させることができ、大空間の特定の場所を効果的に冷房することができるものとなっている。
【０００８】
しかしながら、上記従来のミスト噴霧装置や本発明者が出願した従来のミスト噴霧装置では、発生させたミストを目視することが困難であり、ミストの発生状態が視覚で確認することができないため、実際に多量のミストが発生していても使用感に頼りなさを感じるという課題を有していた。
【０００９】
さらに、上記従来のミスト噴霧装置や本発明者が出願した従来のミスト噴霧装置では、美術館やイベント会場等において演出効果を発揮させる装置として使用することも考えられておらず、多様性に乏しいという課題を有していた。
【００１０】
また、美術館やイベント会場等においては、上記従来のミスト噴霧装置から噴霧されたミストに白熱灯を照射して、ライトアップすれば演出効果を得ることができるが、白熱灯によるライトアップは、電気消費量が多くなって不経済であり、しかも白熱灯は発熱量が多いため、その場の温度を上昇させてしまい、その場を効果的に冷房することができなくなってしまう。
【００１１】
そこで、本発明は、上記従来の問題点を解決することを目的としており、使用感に頼りなさを感じることがなく、演出効果を発揮させる装置としても使用することができ、さらに電気消費量が少なく経済的であり、しかも発熱量が少ないので、その場の温度を上昇させることなく、効果的に冷房等ができるミスト噴霧装置を提供することを目的としてなされたものである。
【課題を解決するための手段】
【００１２】
そのため、本発明のミスト噴霧装置は、ミストノズル１から噴霧されるミストに、ＬＥＤライト２を照射するように構成したものであって、分水器３の内部に設けた分岐水路３ａの各通水孔４に連結して放射状に配した多数本の水供給パイプ５に、それぞれ複数個の前記ミストノズル１を設け、これらミストノズル１を前方に向けた状態で前記水供給パイプ５を、本体６の前面に形成した開口に設置し、これら水供給パイプ５の放射状の中心部の分水器３に前記ＬＥＤライト２を前方に向けて設置している。
【００１３】
さらに、本発明のミスト噴霧装置は、前記水供給パイプ５のそれぞれの側部に複数のＬＥＤライト２を前方に向けて連設している。
【００１４】
そして、本発明のミスト噴霧装置において、前記水供給パイプ５の放射状の中心部の分水器３に設置したＬＥＤライト２を大容量のものとし、前記水供給パイプ５のそれぞれの側部に連設した複数のＬＥＤライト２を小容量のものとしている。
【００１５】
また、本発明のミスト噴霧装置において、前記分水器３を金属製とし、この分水器３に前記ＬＥＤライト２を熱伝導可能として設置しており、さらに前記水供給パイプ５を金属製とし、この水供給パイプ５に前記ＬＥＤライト２を熱伝導可能として設置している。
【発明の効果】
【００１６】
本発明のミスト噴霧装置は、以上に述べたような構成としているので、使用感に頼りなさを感じることがなく、演出効果を発揮させる装置としても使用することができ、さらに電気消費量が少なく経済的であり、しかも発熱量が少ないので、その場の温度を上昇させることなく、効果的に冷房等ができるものとなった。
【図面の簡単な説明】
【００１７】
【図１】本発明のミスト噴霧装置の実施形態を示す正面図である。
【図２】図１に示す本発明のミスト噴霧装置の側面図である。
【図３】図１に示す本発明のミスト噴霧装置の縦断面図である。
【図４】本発明のミスト噴霧装置に設置する水供給パイプの斜視図である。
【図５】図４に示す水供給パイプの断面図である。
【図６】従来のミスト噴霧装置の一例の概略を示す正面図である。
【図７】図６に示す従来のミスト噴霧装置の側面図である。
【図８】従来のミスト噴霧装置の他の例を示す正面図である。
【図９】従来のミスト噴霧装置のさらに他の例を示す斜視図である。
【発明を実施するための形態】
【００１８】
以下、本発明のミスト噴霧装置を実施するための形態を、図面に基づいて詳細に説明する。
【００１９】
本発明のミスト噴霧装置は、ミストノズル１から噴霧されるミストに、ＬＥＤライト２を照射するように構成している。本発明において、ＬＥＤライト２による照射は、通常の電球に比べて方向性がある（照射角度が小さい）ので、遠くまで照射することができ、遠くまで噴霧されたミストにも照射することができる。
【００２０】
図示した本発明のミスト噴霧装置は、扁平な略角柱状とした金属製の分水器３の内部に設けた分岐水路３ａの各側面の通水孔４に連結して放射状に配した多数本の金属製の水供給パイプ５に、それぞれ複数個のミストノズル１を設け、これらミストノズル１を前方に向けた状態で前記水供給パイプ５を、略円筒状の本体６の前面に形成した開口に設置し、これら水供給パイプ５の放射状の中心部の分水器３には大容量のＬＥＤライト２を前方に向けて設置し、これら水供給パイプ５のそれぞれの側部には小容量の複数のＬＥＤライト２を前方に向けて連設し、前記水供給パイプ５で区切られた開口を送風口７とし、前記本体６の後面の全体を空気取入口８としている。なお、前記送風口７や空気取入口８には、危険防止などのためにネット９を張設したものとすることができる。
【００２１】
ＬＥＤライト２は、大容量のものは５０〜１００Ｗ程度のものにすることができ、近くから遠くまで拡散したミストを照射できるものとし、場合によっては発光色を切り替え可能なものとすることもでき、小容量のものは１〜１０Ｗ程度のものにすることができ、それぞれの水供給パイプ１１に５〜１０個程度、設置するのが好ましく、前方向に角度をもたせて照射するようにしたり、発光色の異なるものとしたり、点滅したりするものとすることができる。なお、前記大容量のＬＥＤライト２は、分水器３の金属面に接触させるなど熱伝導可能として、この分水器３に設置しており、前記小容量のＬＥＤライト２も、水供給パイプ５の金属面に接触させるなど熱伝導可能として、この水供給パイプ５に設置している。
【００２２】
さらに、本体６の内部には、前記ミストノズル１の後方にモーター１０を設置し、このモーター１０に送風扇１１を取り付け、本体６の外部には、コンプレッサー１２を設置し、このコンプレッサー１２で水道栓等から供給される水を圧縮して、前記ミストノズル１に水ホース１４を介してこの圧縮した水を供給するようにしている。また、前記本体６は、角度調節機構Ａを備えて支持台Ｓに支持されており、この角度調節機構Ａによって、角度を自由に調節できるようにすると共に、支持台Ｓの底部に取り付けられたキャスターＣにより、移動可能としている。
【００２３】
前記水供給パイプ５のうちの一本の先端には水ホース１４が接続されており、他の水供給パイプ５の先端は閉鎖されており、この水ホース１４が接続された水供給パイプ５に、水ホース１４から水を供給し、分水器３の通水孔４から他の水供給パイプ５に水が供給されることにより、それぞれの水供給パイプ５に設けられたミストノズル１からミストとして噴霧できるようにしている。
【００２４】
なお、本発明のミスト噴霧装置は、コンプレッサー１２で圧縮された水をミストノズル１から噴霧してミストを作り出す一流体方式としているが、圧縮された水と圧縮された空気の二流体をぶつけ合う二流体方式としてもよいことはいうまでもない。
【００２５】
また、図示したものは、ＬＥＤライト２、モーター１０、コンプレッサー１２などへの電気配線は省略しているが、適宜の電気配線がされているのはいうまでない。
【００２６】
以上のように構成された本発明のミスト噴霧装置は、例えば建築工事現場、屋外のイベント会場等において、次のようにして使用される。
【００２７】
先ず、本発明のミスト噴霧装置を建築工事現場、屋外のイベント会場等に運搬し、キャスターＣにより移動させて、建設工事やイベントの邪魔にならない位置に設置する。そして、角度調節機構Ａによって本体１２の角度を調節し、実際に工事をしている場所や、ステージの方向などの特定方向にミストを集中して噴霧させる。この場合、大容量のＬＥＤライト２や小容量のＬＥＤライト２が、その噴霧されたミストに照射されるので、ミストの発生状態が視覚で確認することができ、ミストの発生を実感することができる。
【００２８】
さらに、本発明のミスト噴霧装置では、大容量のＬＥＤライト２は遠くまで照射することができるので、ミストが遠方まで噴霧されているかどうかの確認が簡単にでき、建築工事現場などにおいては、噴霧されたミストにより効率良く粉塵の発生を抑制したり、夏場などにおいては効果的に冷房することができる。そして、小容量のＬＥＤライト２は近くしか照射することができないが、発光色を色々と異なるものとしたり、点滅させたりすれば、特にイベント会場等においては演出効果を発揮することができる。
【００２９】
また、本発明のミスト噴霧装置では、噴霧されたミストに白熱灯を照射するのではなく、ＬＥＤライト２を照射するので、電気消費量が少なく経済的であり、しかも発熱量が少なく、その場の温度を上昇させることなく、その場を効果的に冷房することができる。
【００３０】
さらに、本発明のミスト噴霧装置では、大容量のＬＥＤライト２は、分水器３の金属面に接触させるなど熱伝導可能として分水器３に設置しており、小容量のＬＥＤライト２も、水供給パイプ５の金属面に接触させるなど熱伝導可能として水供給パイプ５に設置しているので、これら分水器３や水供給パイプ５に流入する水によってＬＥＤライト２が冷却されるので、ＬＥＤライト２の発熱量はより少なく抑えられることになり、イベント会場の冷房等に絶大な効果を発揮するものとなる。
【符号の説明】
【００３１】
１  ミストノズル
２  ＬＥＤライト
３  分水器
３ａ  分岐水路
４  通水孔
５  水供給パイプ
６  本体
【図１】
2014142088.tif 000003
【図２】
2014142088.tif 000004
【図３】
2014142088.tif 000005
【図４】
2014142088.tif 000006
【図５】
2014142088.tif 000007
【図６】
2014142088.tif 000008
【図７】
2014142088.tif 000009
【図８】
2014142088.tif 000010
【図９】
2014142088.tif 000011
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
ミストノズル（１）から噴霧されるミストに、ＬＥＤライト（２）を照射するように構成したものであって、分水器（３）の内部に設けた分岐水路（３ａ）の各通水孔（４）に連結して放射状に配した多数本の水供給パイプ（５）に、それぞれ複数個の前記ミストノズル（１）を設け、これらミストノズル（１）を前方に向けた状態で前記水供給パイプ（５）を、本体（６）の前面に形成した開口に設置し、これら水供給パイプ（５）の放射状の中心部の分水器（３）に前記ＬＥＤライト（２）を前方に向けて設置していることを特徴とするミスト噴霧装置。
【請求項２】
前記水供給パイプ（５）に複数のＬＥＤライト（２）を前方に向けて設置していることを特徴とする請求項１記載のミスト噴霧装置。
【請求項３】
前記水供給パイプ（５）の放射状の中心部の分水器（３）に設置したＬＥＤライト（２）を大容量のものとしていることを特徴とする請求項１記載のミスト噴霧装置。
【請求項４】
前記水供給パイプ（５）に設置した複数のＬＥＤライト（２）を小容量のものとしていることを特徴とする請求項２記載のミスト噴霧装置。
【請求項５】
前記分水器（３）を金属製とし、この分水器（３）に前記ＬＥＤライト（２）を熱伝導可能として設置していることを特徴とする請求項１又は３記載のミスト噴霧装置。
【請求項６】
前記水供給パイプ（５）を金属製とし、この水供給パイプ（５）に前記ＬＥＤライト（２）を熱伝導可能として設置していることを特徴とする請求項２又は４記載のミスト噴霧装置。
【手続補正２】
【補正対象書類名】明細書
【補正対象項目名】００１３
【補正方法】変更
【補正の内容】
【００１３】
さらに、本発明のミスト噴霧装置は、前記水供給パイプ５に複数のＬＥＤライト２を前方に向けて設置している。
【手続補正３】
【補正対象書類名】明細書
【補正対象項目名】００１４
【補正方法】変更
【補正の内容】
【００１４】
そして、本発明のミスト噴霧装置において、前記水供給パイプ５の放射状の中心部の分水器３に設置したＬＥＤライト２を大容量のものとし、前記水供給パイプ５に設置した複数のＬＥＤライト２を小容量のものとしている。